(57)【要約】【課題】  ＰＣが電源オフ状態であっても、ＤＡＰからのオーディオデータを受信し、音声を出力すること。【解決手段】  ＰＣ１００が電源オフ状態においては、クレードル６、スイッチ１２、ロジックＩＣ１３およびアンプ１４に電源電圧が供給される。クレードル６、スイッチ１２、ロジックＩＣ１３に電源電圧が供給されることにより、クレードル６にＤＡＰ１６が接続されているか否か、および、ＰＣ１００が電源オン状態であるか否かに基づいて、スイッチ１２の状態を制御することができる。アンプ１４に電源電圧が供給されることにより、ＰＣ１００が電源オフ状態であっても、ＤＡＰ１６からのオーディオデータを増幅して、スピーカーから音声を出力することができる。【選択図】図１
2011085988.tif 000002
【特許請求の範囲】
【請求項１】
携帯型コンテンツ再生装置が接続可能な電子機器であって、
コンテンツを記録するためのコンテンツ記憶部と、
前記コンテンツ記憶部に記録されているコンテンツを再生し、スイッチへと供給する再生部と、
前記携帯型コンテンツ再生装置が接続可能であり、前記携帯型コンテンツ再生装置からのコンテンツを前記スイッチへと供給するクレードルと、
前記再生部からのコンテンツを処理部に供給する状態、又は、前記クレードルからのコンテンツを前記処理部に供給する状態を切り換える前記スイッチと、
前記スイッチから供給されるコンテンツに処理を実行する前記処理部と、
前記電子機器が電源オフ状態の場合において、前記クレードル、前記スイッチ、前記処理部およびスイッチ制御部に電源電圧を供給する電源部と、
前記クレードルに前記携帯型コンテンツ再生装置が接続されているか否か、および、前記電子機器が電源オン状態であるか否かに基づいて、前記スイッチの状態を制御する前記スイッチ制御部とを備える、電子機器。
【請求項２】
前記スイッチ制御部が、前記クレードルに前記携帯型コンテンツ再生装置が接続されており、かつ、前記電子機器が電源オフ状態の場合には、前記クレードルからのコンテンツを前記処理部に供給する状態に前記スイッチを切り換えさせる、請求項１に記載の電子機器。
【請求項３】
前記スイッチ制御部が、
前記クレードルに前記携帯型コンテンツ再生装置が接続されていない場合には、前記再生部からのコンテンツを前記処理部に供給する状態に前記スイッチを切り換えさせ、
前記クレードルに前記携帯型コンテンツ再生装置が接続されており、かつ、前記電子機器が電源オフ状態の場合には、前記クレードルからのコンテンツを前記処理部に供給する状態に前記スイッチを切り換えさせ、
前記クレードルに前記携帯型コンテンツ再生装置が接続されており、かつ、前記電子機器が電源オン状態の場合には、ユーザ操作に基づいて、前記再生部からのコンテンツを前記処理部に供給する状態、又は、前記クレードルからのコンテンツを前記処理部に供給する状態を前記スイッチに切り換えさせる、請求項１に記載の電子機器。
【請求項４】
第２コンテンツ再生装置が接続可能であり、前記第２コンテンツ再生装置からのコンテンツを受信し、前記スイッチへと供給する受信部をさらに備え、
前記スイッチが、前記再生部からのコンテンツを前記処理部に供給する状態、又は、前記クレードルからのコンテンツを前記処理部に供給する状態、又は、前記受信部からのコンテンツを前記処理部に供給する状態のいずれかに切り換え、
前記電源部が、前記電子機器が電源オフ状態の場合において、前記クレードル、前記スイッチ、前記処理部、前記スイッチ制御部および前記受信部に電源電圧を供給する、請求項１に記載の電子機器。
【請求項５】
前記スイッチ制御部が、
前記クレードルに前記携帯型コンテンツ再生装置が接続されており、かつ、前記電子機器が電源オン状態の場合には、ユーザ操作に基づいて、前記再生部からのコンテンツを前記処理部に供給する状態、又は、前記クレードルからのコンテンツを前記処理部に供給する状態、又は、前記受信部からのコンテンツを前記処理部に供給する状態のいずれかに前記スイッチに切り換えさせ、
前記クレードルに前記携帯型コンテンツ再生装置が接続されておらず、かつ、前記電子機器が電源オン状態の場合には、ユーザ操作に基づいて、前記再生部からのコンテンツを前記処理部に供給する状態、又は、前記受信部からのコンテンツを前記処理部に供給する状態に前記スイッチに切り換えさせ、
前記クレードルに前記携帯型コンテンツ再生装置が接続されており、かつ、前記電子機器が電源オフ状態の場合には、ユーザ操作に基づいて、前記クレードルからのコンテンツを前記処理部に供給する状態、又は、前記受信部からのコンテンツを前記処理部に供給する状態に前記スイッチに切り換えさせ、
前記クレードルに前記携帯型コンテンツ再生装置が接続されておらず、かつ、前記電子機器が電源オフ状態の場合には、前記受信部からのコンテンツを前記処理部に供給する状態に前記スイッチを切り換えさせる、請求項４に記載の電子機器。
【発明の詳細な説明】
【技術分野】
【０００１】
本発明は、携帯型コンテンツ再生装置を接続可能な電子機器に関する。
【背景技術】
【０００２】
パーソナルコンピュータ（以下、ＰＣという。）は、内蔵されている記憶媒体（以下、ＨＤＤとする。）に、複数のコンテンツ（例えば、オーディオファイル）を記録可能であり、複数のオーディオファイルの中からユーザ操作によって選択されたオーディオファイルを再生することができる。また、屋外等でオーディオファイルを再生するために、記憶媒体（フラッシュメモリ等）を内蔵する携帯型プレーヤ（以下、ＤＡＰという。）が使用される。ＤＡＰは、ＰＣのＨＤＤからオーディオファイルが転送され、フラッシュメモリにオーディオファイルを記録することができる。最近では、ＤＡＰ用のクレードル（充電装置）を備えるＰＣが登場してきている。このＰＣは、クレードル経由でＤＡＰを充電させる他、ＤＡＰによって再生され、ＤＡＰから出力されるオーディオデータをクレードル経由で受信し、アンプで増幅し、スピーカーから音声を出力することができる。
【０００３】
ここで、ＰＣを電源オフ状態（シャットダウン、スタンバイ、スリープ、ハイバネーション等を含む。）にすると、オーディオデバイス、アンプおよびクレードルに電源電圧が供給されなくなる。または、オーディオデバイスやクレードルに電源電圧が供給される場合もあるが、オーディオデバイスは動作を実行しなくなり、クレードルは信号の送受信を実行しなくなる。その結果、ＰＣのＨＤＤに記録されているオーディオファイルを再生できなくなるだけでなく、ＤＡＰによって再生され、ＤＡＰから出力されるオーディオデータをアンプにおいて増幅し、スピーカーから音声を出力することができないという問題がある。従って、ＰＣが電源オフ状態のときにも、ＤＡＰからのオーディオデータを増幅し、スピーカーから音声を出力する技術が要望されている。
【先行技術文献】
【特許文献】
【０００４】
【特許文献１】特開２００２−６９７７号公報
【発明の概要】
【発明が解決しようとする課題】
【０００５】
本発明は上記従来の課題を解決するためになされたものであり、その目的は、電子機器を電源オフ状態にする場合でも、携帯型コンテンツ再生装置からのコンテンツを受信し、処理を実行することができる電子機器を提供することである。
【課題を解決するための手段】
【０００６】
本発明の好ましい実施形態による電子機器は、携帯型コンテンツ再生装置が接続可能な電子機器であって、コンテンツを記録するためのコンテンツ記憶部と、前記コンテンツ記憶部に記録されているコンテンツを再生し、スイッチへと供給する再生部と、前記携帯型コンテンツ再生装置が接続可能であり、前記携帯型コンテンツ再生装置からのコンテンツを前記スイッチへと供給するクレードルと、前記再生部からのコンテンツを処理部に供給する状態、又は、前記クレードルからのコンテンツを前記処理部に供給する状態を切り換える前記スイッチと、前記スイッチから供給されるコンテンツに処理を実行する前記処理部と、前記電子機器が電源オフ状態の場合において、前記クレードル、前記スイッチ、前記処理部およびスイッチ制御部に電源電圧を供給する電源部と、前記クレードルに前記携帯型コンテンツ再生装置が接続されているか否か、および、前記電子機器が電源オン状態であるか否かに基づいて、前記スイッチの状態を制御する前記スイッチ制御部とを備える。
【０００７】
電子機器の電源オフ状態においては、クレードル、スイッチ、処理部およびスイッチ制御部に電源電圧が供給される。スイッチ制御部およびスイッチに電源電圧が供給されることにより、クレードルに携帯型コンテンツ再生装置が接続されているか否か、および、電子機器が電源オン状態であるか否かに基づいて、スイッチの状態を制御することができる。その結果、電子機器が電源オフ状態であっても、携帯型コンテンツ再生装置からのコンテンツをクレードル経由で受信し、処理部において処理を実行することができる。特に限定されないが、コンテンツがオーディオデータである場合には、処理部はアンプであり、オーディオデータを増幅して、スピーカーから音声を出力する。また、コンテンツがビデオデータである場合には、処理部はビデオプロセッサであり、ビデオデータに画像処理を実行し、表示部に映像を表示する。
【０００８】
好ましい実施形態においては、前記スイッチ制御部が、前記クレードルに前記携帯型コンテンツ再生装置が接続されており、かつ、前記電子機器が電源オフ状態の場合には、前記クレードルからのコンテンツを前記処理部に供給する状態に前記スイッチを切り換えさせる。
【０００９】
電子機器が電源オフ状態であっても、携帯型コンテンツ再生装置がクレードルに接続されている場合には、携帯型コンテンツ再生装置からのコンテンツをクレードル経由で受信し、処理部に供給することができる。
【００１０】
好ましい実施形態においては、前記スイッチ制御部が、前記クレードルに前記携帯型コンテンツ再生装置が接続されていない場合には、前記再生部からのコンテンツを前記処理部に供給する状態に前記スイッチを切り換えさせ、前記クレードルに前記携帯型コンテンツ再生装置が接続されており、かつ、前記電子機器が電源オフ状態の場合には、前記クレードルからのコンテンツを前記処理部に供給する状態に前記スイッチを切り換えさせ、前記クレードルに前記携帯型コンテンツ再生装置が接続されており、かつ、前記電子機器が電源オン状態の場合には、ユーザ操作に基づいて、前記再生部からのコンテンツを前記処理部に供給する状態、又は、前記クレードルからのコンテンツを前記処理部に供給する状態を前記スイッチに切り換えさせる。
【００１１】
電子機器が電源オフ状態であって、携帯型コンテンツ再生装置がクレードルに接続されている場合には、携帯型コンテンツ再生装置からのコンテンツをクレードル経由で受信し、処理部に供給することができる。電子機器が電源オフ状態であって、携帯型コンテンツ再生装置がクレードルに接続されていない場合には、携帯型コンテンツ再生装置からのコンテンツをクレードル経由で受信し処理部に供給する必要がないので、再生部からのコンテンツを処理部に供給する状態にスイッチを切り換えさせる。従って、電子機器が電源オフ状態から電源オン状態に移行した際に、または、電子機器が電源オン状態の際に、改めてユーザ操作を要することなく、再生部からのコンテンツを処理部に供給する状態にスイッチを切り換えさせることができる。
【００１２】
好ましい実施形態においては、第２コンテンツ再生装置が接続可能であり、前記第２コンテンツ再生装置からのコンテンツを受信し、前記スイッチへと供給する受信部をさらに備え、前記スイッチが、前記再生部からのコンテンツを前記処理部に供給する状態、又は、前記クレードルからのコンテンツを前記処理部に供給する状態、又は、前記受信部からのコンテンツを前記処理部に供給する状態のいずれかに切り換え、前記電源部が、前記電子機器が電源オフ状態の場合において、前記クレードル、前記スイッチ、前記処理部、前記スイッチ制御部および前記受信部に電源電圧を供給する。
【００１３】
電子機器が電源オフ状態においては、クレードル、スイッチ、処理部、スイッチ制御部および受信部に電源電圧が供給される。スイッチ制御部およびスイッチに電源電圧が供給されることにより、クレードルに携帯型コンテンツ再生装置が接続されているか否か、および、電子機器が電源オン状態であるか否かに基づいて、スイッチの状態を制御することができる。その結果、電子機器が電源オフ状態であっても、携帯型コンテンツ再生装置からのコンテンツをクレードル経由で受信し、処理部に供給することができる、または、第２コンテンツ再生装置からのコンテンツを受信部経由で受信し、処理部に供給することができる。
【００１４】
好ましい実施形態においては、前記スイッチ制御部が、前記クレードルに前記携帯型コンテンツ再生装置が接続されており、かつ、前記電子機器が電源オン状態の場合には、ユーザ操作に基づいて、前記再生部からのコンテンツを前記処理部に供給する状態、又は、前記クレードルからのコンテンツを前記処理部に供給する状態、又は、前記受信部からのコンテンツを前記処理部に供給する状態のいずれかに前記スイッチに切り換えさせ、前記クレードルに前記携帯型コンテンツ再生装置が接続されておらず、かつ、前記電子機器が電源オン状態の場合には、ユーザ操作に基づいて、前記再生部からのコンテンツを前記処理部に供給する状態、又は、前記受信部からのコンテンツを前記処理部に供給する状態に前記スイッチに切り換えさせ、前記クレードルに前記携帯型コンテンツ再生装置が接続されており、かつ、前記電子機器が電源オフ状態の場合には、ユーザ操作に基づいて、前記クレードルからのコンテンツを前記処理部に供給する状態、又は、前記受信部からのコンテンツを前記処理部に供給する状態に前記スイッチに切り換えさせ、前記クレードルに前記携帯型コンテンツ再生装置が接続されておらず、かつ、前記電子機器が電源オフ状態の場合には、前記受信部からのコンテンツを前記処理部に供給する状態に前記スイッチを切り換えさせる。
【発明の効果】
【００１５】
電子機器を電源オフ状態にする場合でも、携帯型コンテンツ再生装置からのコンテンツを受信し、コンテンツに処理を実行することができる。
【図面の簡単な説明】
【００１６】
【図１】ＰＣ１００の構成を示すブロック図である。
【図２】スイッチ１２の選択状態を示す表である。
【図３】ＰＣ１０１の構成を示すブロック図である。
【図４】スイッチ１７の選択状態を示す表である。
【発明を実施するための形態】
【００１７】
以下、本発明の好ましい実施形態による電子機器の一例であるパーソナルコンピュータ（以下、ＰＣという。）１００について説明する。図１は、ＰＣ１００の構成を示す概略ブロック図である。ＰＣ１００は、表示部１と、マザーボード２と、ＨＤＤ（Hard Disk Drive）３と、入力部４と、電源部５と、クレードル６と、スピーカー１５とを備える。表示部１、入力部４、クレードル６およびスピーカー１５はＰＣ１００と一体でもよく、独立していてもよい。クレードル６には、携帯型プレーヤ（以下、ＤＡＰ（Digital Audio Player）という。）１６が接続可能である。
【００１８】
ＨＤＤ３は、記憶媒体の一例であり、複数のコンテンツを記録可能である。コンテンツは、オーディオデータ、ビデオデータ、又は、ピクチャデータ等の総称であるが、本例では、オーディオデータ（オーディオファイル）である。ＨＤＤ３には、ＯＳ（Operating System）やコンテンツ再生アプリケーションプログラム（以下、再生アプリという。）がインストールされている。再生アプリによって、オーディオファイルがＨＤＤ３にリッピングされ、又は、ＨＤＤ３に記録されているオーディオファイルが再生される。
【００１９】
入力部４は、ユーザ操作が入力されるものであり、マウス、キーボードまたはリモコン等である。例えば、入力部４は、ユーザ操作によって、ＨＤＤ３に記録されているオーディオファイルを再生するか、又は、ＤＡＰ１６に記録されているオーディオファイルを再生するかを選択する指示が入力される。
【００２０】
表示部１は、ＯＳや再生アプリの画面、又は、ビデオデータを表示するものであり、ＬＣＤ（Liquid Crystal Display）等である。
【００２１】
電源部５は、ＰＣ１００の全体又は一部に電源電圧を供給する回路である。電源部５は、後述する電源管理ブロック１０によって制御され、ＰＣ１００全体に電源電圧を供給する電源オン状態と、ＰＣ１００の一部（後述）のみに電源電圧を供給し、その他の部分に電源電圧を供給しない電源オフ状態とに制御される。ここで、電源オフ状態とは、シャットダウン、スタンバイ、スリープまたはハイバネート等の意味を含む。
【００２２】
マザーボード２は、ＣＰＵ７と、メモリ８と、オーディオブロック９と、電源管理ブロック１０とを含む。ＣＰＵ７は、ＨＤＤ３にインストールされているＯＳや、再生アプリ等のプログラムを実行する。また、ＣＰＵ７は、ＰＣ１００が電源オン状態のときに、ユーザ操作に応じて、スイッチ１２の選択状態を切り換えさせる。
【００２３】
オーディオブロック９は、オーディオデバイス（例えばＨＤオーディオコーデック）１１と、スイッチ（例えばアナログスイッチ）１２と、ロジックＩＣ１３と、アンプ（例えばデジタルアンプ）１４とを含む。
【００２４】
オーディオデバイス１１には、ＨＤＤ３に記録されているオーディオファイルが再生アプリによって再生され、再生されたオーディオデータが供給される。オーディオデバイス１１は、ＨＤＤ３からのオーディオデータをデコード、デジタルアナログ変換、ボリューム調整、イコライザ処理、および／または、その他信号処理を実行し、オーディオデータをスイッチ１２の端子ｂに供給する。なお、オーディオデバイス１１、ＣＰＵ７および再生アプリの機能を再生部と定義する。
【００２５】
ＤＡＰ１６は、記憶媒体（以下、フラッシュメモリという。）を内蔵しており、フラッシュメモリに複数のコンテンツ（以下、オーディオファイル。）を記録可能である。ＤＡＰ１６は、複数のオーディオファイルの中からユーザ操作によって選択されたオーディオファイルを再生し、再生したオーディオデータをクレードル６に供給する。
【００２６】
クレードル６は、ＤＡＰ１６によって再生されたオーディオデータを、ＤＡＰ１６から受信し、スイッチ部１２の端子ｃに供給する。また、クレードル６は、電源部５から電源電圧が供給され、ＤＡＰ１６のバッテリを充電する。また、クレードル６は、ＤＡＰ１６がクレードル６に接続されているか否かを検出しており、ＤＡＰ１６がクレードル６に接続されているか否かの情報（ＤＡＰ接続状態情報）をロジックＩＣ１３に通知する。なお、クレードル６へのＤＡＰ１６の接続検出は、接続検出端子を使用する等の周知の技術によって実現することができる。クレードル６からロジックＩＣ１３への通知は、ＤＡＰ１６がクレードル６に接続された時、又は、ＤＡＰ１６がクレードル６から接続解除された時に実行されてもよく、定期的に実行されてもよい。
【００２７】
スイッチ１２は、ＣＰＵ７およびロジックＩＣ１３によって制御され、ＨＤＤ３からオーディオデバイス１１を介して供給されるオーディオデータをアンプ１４に供給する状態、又は、ＤＡＰ１６からクレードル６を介して供給されるオーディオデータをアンプ１４に供給する状態を切り換える。詳細には、スイッチ１２は、オーディオデバイス１２が接続される端子ｂと、クレードル６が接続される端子ｃとのいずれか一方を選択し、アンプ１４が接続される端子ａに接続させる。
【００２８】
ロジックＩＣ１３は、電源管理ブロック１０から供給されるＰＣ１が電源オン状態であるか否かの情報と、クレードル６から供給されるＤＡＰ１６がクレードル６に接続されているか否かの情報とに基づいて、スイッチ１２の選択状態を制御する（詳細後述）。ロジックＩＣ１３とＣＰＵ７とはスイッチ制御部として機能する。
【００２９】
アンプ１４は、コンテンツに処理を実行する処理部の一例であり、スイッチ１２から供給されたオーディオデータを増幅し、スピーカー１５から音声を出力させる。
【００３０】
電源管理ブロック１０は、ユーザ操作に応じて、ＰＣ１００の電源状態が電源オン状態、または、電源オフ状態になるように、電源部5を制御する。詳細には、電源管理ブロック１０は、ＰＣ１００を電源オン状態にする際には、電源部５に、ＰＣ１００全体に電源電圧を供給させる。一方、電源管理ブロック１０は、ＰＣ１００を電源オフ状態にする際には、電源部５に、ＤＡＰ１６からのオーディオデータを増幅し、スピーカー１５から音声を出力するために必要な部分のみに電源電圧を供給させる。詳細には、電源オフ状態において、クレードル６、スイッチ１２、ロジックＩＣ１３およびアンプ１４に電源電圧が供給される（クレードル６、スイッチ１２、ロジックＩＣ１３およびアンプ１４を動作可能状態にする）。従って、ＰＣ１００が電源オフ状態であっても、クレードル６、スイッチ１２およびロジックＩＣ１３に電源電圧が供給されている（動作可能状態である）ので、ＤＡＰ１６の接続状態に応じて、オーディオデバイス１１からのオーディオデータをアンプ１４に供給する状態、又は、クレードル６からのオーディオデータをアンプ１４に供給する状態をスイッチ１２に切り換えさせることができる。また、ＰＣ１００が電源オフ状態であっても、アンプ１４に電源電圧が供給されている（動作可能状態である）ので、ＤＡＰ１６からのオーディオデータをアンプ１４で増幅し、スピーカー１５から音声を出力することができる。また、電源管理ブロック１０は、ロジックＩＣ１３に、ＰＣ１００が電源オン状態であるか否かの情報（電源状態情報）を通知する。
【００３１】
以下、ＰＣ１００の動作を説明する。図２は、ＰＣ１００の電源状態と、ＤＡＰ１６のクレードル６への接続状態とに応じた、スイッチ１２の選択状態を説明する表である。まず、ＰＣ１００の電源オン状態、および、電源オフ状態にかかわらず、クレードル６、スイッチ１２、ロジックＩＣ１３およびアンプ１４には電源電圧が供給されている。従って、ＰＣ１００が電源オフ状態であっても、ＤＡＰ６のクレードル１６への接続状態に応じてスイッチ１２を切り換えることができ、かつ、ＤＡＰ１６からのオーディオデータを増幅してスピーカー１５から音声を出力することができる。
【００３２】
ＤＡＰ１６がクレードル６に接続されていない場合には、クレードル６は、ＤＡＰ１６がクレードル６に接続されていない旨の情報をロジックＩＣ１３に通知する。ロジックＩＣ１３は、ＰＣ１が電源オン状態であるか、又は、電源オフ状態であるかに関係なく、ＤＡＰ１６がクレードル６に接続されていない旨の情報を受信すると、スイッチ１２にオーディオデバイス１１側（端子ｂ）を選択させ、ＨＤＤ３からオーディオデバイス１１経由で供給されるオーディオデータをアンプ１４に供給する状態に切り換えさせる。ＤＡＰ１６がクレードル６に接続されていないので、スイッチ１２にクレードル6側（端子ｃ）を選択させる必要がないからである。また、これにより、ＰＣ１００が電源オン状態にされた際に（または電源オン状態である際に）、ＨＤＤ３のオーディオデータを再生する場合に、改めてユーザ操作によって、オーディオデバイス１１からのオーディオデータをアンプ１４に供給する状態にスイッチ１２を切り換えさせる必要がなく、操作性を向上させることができる。
【００３３】
次に、ＤＡＰ１６がクレードル６に接続されている場合には、クレードル６は、ＤＡＰ１６がクレードル６に接続されている旨の情報をロジックＩＣ１３に通知する。また、電源管理ブロック１０は、ＰＣ１００が電源オン状態であるか、又は、電源オフ状態であるかの情報（ＰＣ電源状態情報）をロジックＩＣ１３に通知する。
【００３４】
ロジックＩＣ１３は、ＤＡＰ１６がクレードル６に接続されており、かつ、ＰＣ１００が電源オン状態の場合には、オーディオデバイス１１側およびクレードル６のいずれも選択可能なようにスイッチ１２を制御する。このとき、ユーザ操作によって、ＨＤＤ３のオーディオデータを再生するか、又は、ＤＡＰ１６のオーディオデータを再生するかを選択する指示が入力されると、ＣＰＵ７が、当該指示に応じてスイッチ１２を制御する。つまり、ユーザ操作によって、ＨＤＤ３のオーディオデータを再生する指示が入力されると、ＣＰＵ７は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる。一方、ユーザ操作によって、ＤＡＰ１６のオーディオデータを再生する指示が入力されると、ＣＰＵ７は、スイッチ１２にクレードル６側（端子ｃ）を選択させ、ＤＡＰ１６からクレードル６経由で供給されるオーディオデータをアンプ１４に供給する状態に切り換えさせる。
【００３５】
一方、ロジックＩＣ１３は、ＤＡＰ１６がクレードル６に接続されており、かつ、ＰＣ１００が電源オフ状態の場合には、スイッチ１２にクレードル６側（端子ｃ）を選択させ、ＤＡＰ１６からクレードル６経由で供給されるオーディオデータをアンプ１４に供給する状態にスイッチ１２に切り換えさせる。ＰＣ１００が電源オフ状態であるので、スイッチ１２がオーディオデバイス１１側を選択する必要がないからである。従って、ＰＣ１００が電源オフ状態であっても、ＤＡＰ１６からのオーディオデータがクレードル６を介してアンプ１４に供給され、アンプ１４で増幅され、スピーカー１５から音声を出力することができる。なお、このとき、ＰＣ１００が電源オフ状態であるので、ユーザ操作によって、ＨＤＤ３のオーディオデータを再生するように選択することが無効とされている。
【００３６】
以上のように、本実施形態によると、ＰＣ１００が電源オフ状態であっても、クレードル６、スイッチ１２、ロジックＩＣ１３およびアンプ１４に電源電圧が供給される（動作可能状態である）ので、クレードル６へのＤＡＰ１６の接続状態に応じてスイッチ１２を自動的に切り換えることができると共に、ＤＡＰ１６のオーディオデータを増幅してスピーカー１５から音声を出力することができる。
【００３７】
次に、本発明の別の好ましい実施形態を説明する。図３は、本例のＰＣ１０１を示す概略ブロック図である。以下では、図１のＰＣ１００と比較して、異なる部分のみについて説明する。ＰＣ１０１は、ＢＤ（Blue-lay Disk）プレーヤ１９（または、ＨＤＤレコーダ、ゲーム機でもよい。）等の第２コンテンツ再生装置がＨＤＭＩケーブルを介して接続可能である。ＢＤプレーヤ１９は、ＢＤディスクからオーディオデータ及びビデオデータを読み出し、これらをＨＤＭＩデータに変換し、ＨＤＭＩケーブルを介してＰＣ１０１に供給する。
【００３８】
ＰＣ１０１は、ＢＤプレーヤ１９からのＨＤＭＩデータを受信し、ＨＤＭＩデータから元のオーディオデータおよびビデオデータを生成するＨＤＭＩ受信部１８をさらに備えている。ＨＤＭＩ受信部１８は、生成したオーディオデータをスイッチ１７の端子ｄに供給し、ビデオデータを表示部１に供給する。
【００３９】
スイッチ１７は、図１のスイッチ１２と比較して、オーディオデバイス１１およびクレードル６の他に、ＨＤＭＩ受信部１８からのオーディオデータをアンプ１４に供給する状態（端子ｄ）を選択することができる。
【００４０】
電源部５は、ＰＣ１０１が電源オフ状態の時に、クレードル６、スイッチ１２、ロジックＩＣ１３、アンプ１４に加えて、表示部１およびＨＤＭＩ受信部１８にも電源電圧を供給する。ＰＣ１０１が電源オフ状態のときに、ＢＤプレーヤ１９からのオーディオデータを増幅しスピーカー１５から音声を出力すると共に、ＢＤプレーヤ１９からのビデオデータを表示部1に表示するためである。なお、ビデオデータを表示部１に表示しない場合（例えば音楽ＣＤを再生する場合）、表示部１には電源電圧が供給されなくてよい。
【００４１】
以下、本例の動作を説明する。図４は、ＰＣ１０１におけるスイッチ１７の選択状態を説明する表である。ＰＣ１０１の電源オン状態、および、電源オフ状態にかかわらず、表示部１、クレードル６、スイッチ１２、ロジックＩＣ１３、アンプ１４およびＨＤＭＩ受信部１８には電源電圧が供給されている。従って、ＰＣ１０１が電源オフ状態であっても、ＤＡＰ１６のクレードル６への接続状態、および、ユーザ操作に応じてスイッチ１７を切り換えることができ、ＤＡＰ１６からのオーディオデータを増幅してスピーカー１５から音声を出力でき、又は、ＢＤプレーヤ１９からのオーディオデータを増幅してスピーカー１５から音声を出力すると共にビデオデータを表示部１に表示することができる。
【００４２】
ロジックＩＣ１３は、ＰＣ１０１が電源オン状態であり、かつ、ＤＡＰ１６がクレードル６に接続されている場合、オーディオデバイス１１側、クレードル６側およびＨＤＭＩ受信部１８側のいずれも選択可能なようにスイッチ１７を制御する。このとき、ユーザ操作によって、ＨＤＤ３のオーディオデータを再生する指示が入力されると、ＣＰＵ７は、スイッチ１７にオーディオデバイス１１側を選択させ、ＨＤＤ３からオーディオデバイス１１経由で供給されるオーディオデータをアンプ１４に供給する状態にスイッチ１７に切り換えさせる。また、ユーザ操作によって、ＤＡＰ１６のオーディオデータを再生する指示が入力されると、ＣＰＵ７は、スイッチ１７にクレードル６側を選択させ、ＤＡＰ１６からクレードル６経由で供給されるオーディオデータをアンプ１４に供給する状態にスイッチ１７に切り換えさせる。また、ユーザ操作によって、ＢＤプレーヤ１９のオーディオデータを再生する指示が入力されると、ＣＰＵ７は、スイッチ１７にＨＤＭＩ受信部１８側を選択させ、ＢＤプレーヤ１９からＨＤＭＩ受信部１８経由で供給されるオーディオデータをアンプ１４に供給する状態にスイッチ１７に切り換えさせる。
【００４３】
ロジックＩＣ１３は、ＰＣ１０１が電源オン状態であり、かつ、ＤＡＰ１６がクレードル６に接続されていない場合、オーディオデバイス１１側、および、ＨＤＭＩ受信部１８側を選択可能であり、クレードル６側を選択不可能なようにスイッチ１７を制御する。このとき、ユーザ操作によって、ＨＤＤ３のオーディオデータを再生する指示が入力されると、ＣＰＵ７は、スイッチ１７にオーディオデバイス１１側を選択させ、ＨＤＤ３からオーディオデバイス１１経由で供給されるオーディオデータをアンプ１４に供給する状態にスイッチ１７に切り換えさせる。また、ユーザ操作によって、ＢＤプレーヤ１９のオーディオデータを再生する指示が入力されると、ＣＰＵ７は、スイッチ１７にＨＤＭＩ受信部１８側を選択させ、ＢＤプレーヤ１９からＨＤＭＩ受信部１８経由で供給されるオーディオデータをアンプ１４に供給する状態にスイッチ１７に切り換えさせる。
【００４４】
ロジックＩＣ１３は、ＰＣ１０１が電源オフ状態であり、かつ、ＤＡＰ１６がクレードル６に接続されている場合、クレードル６側およびＨＤＭＩ受信部１８側を選択可能であり、オーディオデバイス１１８側を選択不可能なようにスイッチ１７を制御する。このとき、ユーザ操作によって、ＤＡＰ１６のオーディオデータを再生する指示が入力されると、ＣＰＵ７は、スイッチ１７にクレードル６側を選択させ、ＤＡＰ１６からクレードル６経由で供給されるオーディオデータをアンプ１４に供給する状態にスイッチ１７に切り換えさせる。また、ユーザ操作によって、ＢＤプレーヤ１９のオーディオデータを再生する指示が入力されると、ＣＰＵ７は、スイッチ１７にＨＤＭＩ受信部１８側を選択させ、ＢＤプレーヤ１９からＨＤＭＩ受信部１８経由で供給されるオーディオデータをアンプ１４に供給する状態にスイッチ１７に切り換えさせる。なお、ＰＣ１０１が電源オフ状態のときには、ＣＰＵ７に電源電圧が供給されていないので、入力部４からの指示によってＣＰＵ７を経由せずに、例えば機械的に、直接、スイッチ１２が切り換えられるようになっている。
【００４５】
ロジックＩＣ１３は、ＰＣ１０１が電源オフ状態であり、かつ、ＤＡＰ１６がクレードル６に接続されていない場合、スイッチ１７にＨＤＭＩ受信部１８側を選択させ、ＢＤプレーヤ１９からＨＤＭＩ受信部１８経由で供給されるオーディオデータをアンプ１４に供給する状態にスイッチ１７に切り換えさせる。
【００４６】
以上のように、本実施形態によると、ＰＣ１０１が電源オフ状態であっても、表示部１、クレードル６、スイッチ１２、ロジックＩＣ１３、アンプ１４およびＨＤＭＩ受信部１８に電源電圧が供給される（動作可能状態である）ので、クレードル６へのＤＡＰ１６の接続状態およびユーザ操作に応じてスイッチ１７を切り換えることができると共に、ＤＡＰ１６からのオーディオデータを増幅してスピーカー１５から音声を出力することができる、または、ＢＤプレーヤ１９からのオーディオデータを増幅してスピーカー１５から音声を出力することができる。
【００４７】
以上、本発明の好ましい実施形態を説明したが、本発明はこれらの実施形態には限定されない。例えば、コンテンツにオーディオデータではなく、ビデオデータやピクチャデータが採用されてもよい。また、図２および図４において、ＰＣが電源オフ状態、かつ、ＤＡＰ未接続状態のときに、スイッチ１２、１７が、クレードル６側を選択してもよい。この場合、ＤＡＰ６がクレードルに接続された際に直ぐにＤＡＰ６からのオーディオデータに基づいてスピーカーから音声を出力できる。本発明は、ＰＣ以外にもＡＶアンプ等のＡＶ機器に適用することができる。携帯型コンテンツ再生装置は、携帯電話や携帯型ゲーム機でもよい。
【産業上の利用可能性】
【００４８】
本発明は、デスクトップＰＣやノードＰＣ等に好適に採用され得る。
【符号の説明】
【００４９】
１００          ＰＣ
１０１          ＰＣ
１              表示部
２              マザーボード
３              ＨＤＤ
４              入力部
５              電源部
６              クレードル
７              ＣＰＵ
８              メモリ
９              オーディオブロック
１０            電源管理ブロック
１１            オーディオデバイス
１２            スイッチ
１３            ロジックＩＣ
１４            アンプ
１５            スピーカー
１６            ＤＡＰ
１７            スイッチ
１８            ＨＤＭＩ受信部
１９            ＢＤプレーヤ
【図１】
2011085988.tif 000003
【図２】
2011085988.tif 000004
【図３】
2011085988.tif 000005
【図４】
2011085988.tif 000006